(57)【要約】【課題】組み付け作業性を向上することができる電気接続箱、及び、ワイヤハーネスを提供することを目的とする。【解決手段】ワイヤハーネスの電気接続箱１は、搭載部２１の第１方向Ｘの一方側に設けられる係止凹部２２、搭載部２１の第１方向Ｘの他方側に設けられる本体側係止部２３、及び、第１方向Ｘに沿って延在する一対のリブ壁部２４を有する本体部２と、係止凹部２２に第１方向Ｘに沿って挿入可能かつ係止可能である係止突起部３２、係止突起部３２が係止凹部２２に係止された状態で本体側係止部２３に係止可能である蓋側係止部３３、第１方向Ｘに沿って延在する一対のガイド壁部３４、及び、リブ壁部２４を挿通可能な挿通開口部３６を有し、一対のガイド壁部３４がそれぞれ一対のリブ壁部２４と当接しながら、本体部２に対して相対移動可能である蓋部材３とを備えることを特徴とする。【選択図】図２
2018093671.tif 000002
【特許請求の範囲】
【請求項１】
電子部品が設けられる搭載部、前記搭載部の第１方向の一方側に位置する構造体に前記第１方向に沿って凹部状に設けられる係止凹部、前記搭載部の前記第１方向の他方側に設けられる本体側係止部、及び、前記搭載部を挟んで対向して設けられそれぞれ前記第１方向に沿って延在する一対のリブ壁部を有する本体部と、
前記搭載部に搭載された前記電子部品を覆う覆い部、前記覆い部から前記第１方向に沿って一方側に突出し前記係止凹部に前記第１方向に沿って挿入可能かつ係止可能である係止突起部、前記係止突起部が前記係止凹部に係止された状態で前記本体側係止部に係止可能である蓋側係止部、前記覆い部を挟んで対向して設けられそれぞれ前記第１方向に沿って延在する一対のガイド壁部、及び、前記第１方向の前記係止突起部が設けられる側の端部に設けられ前記リブ壁部を前記ガイド壁部に隣接させて前記第１方向に沿って挿通可能な挿通開口部を有し、前記一対のガイド壁部がそれぞれ前記一対のリブ壁部と当接しながら、前記本体部に対して前記第１方向に沿って前記係止凹部側に相対移動可能である蓋部材とを備えることを特徴とする、
電気接続箱。
【請求項２】
前記一対のリブ壁部は、それぞれ前記第１方向の前記構造体側の端部に前記係止凹部側に向けた誘い込み凹部を有する、
請求項１に記載の電気接続箱。
【請求項３】
前記蓋部材は、前記係止突起部が前記係止凹部に係止された状態で当該係止突起部側を回動支点として前記本体部に対して回動可能であり、
前記蓋側係止部は、前記係止突起部が前記係止凹部に係止された状態で前記本体側係止部に係止されることで前記本体部に対して前記蓋部材を回動不能に係止する、
請求項１又は請求項２に記載の電気接続箱。
【請求項４】
前記一対のリブ壁部は、前記一対のガイド壁部に挟まれて位置する、
請求項１乃至請求項３のいずれか１項に記載の電気接続箱。
【請求項５】
前記本体部は、前記係止凹部側が閉塞し前記本体側係止部側に開口部が設けられた閉塞空間部内に据え付けられる、
請求項１乃至請求項４のいずれか１項に記載の電気接続箱。
【請求項６】
導電性の配索材と、
前記配索材に電気的に接続される電気接続箱とを備え、
前記電気接続箱は、
前記配索材が電気的に接続される電子部品が設けられる搭載部、前記搭載部の第１方向の一方側に位置する構造体に前記第１方向に沿って凹部状に設けられる係止凹部、前記搭載部の前記第１方向の他方側に設けられる本体側係止部、及び、前記搭載部を挟んで対向して設けられそれぞれ前記第１方向に沿って延在する一対のリブ壁部を有する本体部と、
前記搭載部に搭載された前記電子部品を覆う覆い部、前記覆い部から前記第１方向に沿って一方側に突出し前記係止凹部に前記第１方向に沿って挿入可能かつ係止可能である係止突起部、前記係止突起部が前記係止凹部に係止された状態で前記本体側係止部に係止可能である蓋側係止部、前記覆い部を挟んで対向して設けられそれぞれ前記第１方向に沿って延在する一対のガイド壁部、及び、前記第１方向の前記係止突起部が設けられる側の端部に設けられ前記リブ壁部を前記ガイド壁部に隣接させて前記第１方向に沿って挿通可能な挿通開口部を有し、前記一対のガイド壁部がそれぞれ前記一対のリブ壁部と当接しながら、前記本体部に対して前記第１方向に沿って前記係止凹部側に相対移動可能である蓋部材とを備えることを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、周壁と、該周壁の縁に囲まれた開口部と、を有するケース本体と、開口部を覆うようにケース本体に取り付けられるカバーと、を備えたケースが開示されている。このケースは、カバーの一端側に突起が設けられ、カバーの他端側にロック部が設けられる。また、ケースは、ケース本体の一端側に突起挿通孔を有する突起係合部が設けられ、ケース本体の他端側にロック部が係止するロック受け部が設けられる。そして、ケースは、突起係合部の少なくとも一部が周壁の縁よりも上方に突出し、突起がロック受け部側から突起挿通孔に通され、突起を中心にカバーが回動されることによりロック部がロック受け部に係止されカバーがケース本体に取り付けられる。
【先行技術文献】
【特許文献】
【０００３】
【特許文献１】特開２０１４−１４３８７７号公報
【発明の概要】
【発明が解決しようとする課題】
【０００４】
ところで、上述の特許文献１に記載のケースは、例えば、カバーをケース本体に組み付ける際の作業性向上の点で更なる改善の余地がある。
【０００５】
本発明は、上記の事情に鑑みてなされたものであって、組み付け作業性を向上することができる電気接続箱、及び、ワイヤハーネスを提供することを目的とする。
【課題を解決するための手段】
【０００６】
上記目的を達成するために、本発明に係る電気接続箱は、電子部品が設けられる搭載部、前記搭載部の第１方向の一方側に位置する構造体に前記第１方向に沿って凹部状に設けられる係止凹部、前記搭載部の前記第１方向の他方側に設けられる本体側係止部、及び、前記搭載部を挟んで対向して設けられそれぞれ前記第１方向に沿って延在する一対のリブ壁部を有する本体部と、前記搭載部に搭載された前記電子部品を覆う覆い部、前記覆い部から前記第１方向に沿って一方側に突出し前記係止凹部に前記第１方向に沿って挿入可能かつ係止可能である係止突起部、前記係止突起部が前記係止凹部に係止された状態で前記本体側係止部に係止可能である蓋側係止部、前記覆い部を挟んで対向して設けられそれぞれ前記第１方向に沿って延在する一対のガイド壁部、及び、前記第１方向の前記係止突起部が設けられる側の端部に設けられ前記リブ壁部を前記ガイド壁部に隣接させて前記第１方向に沿って挿通可能な挿通開口部を有し、前記一対のガイド壁部がそれぞれ前記一対のリブ壁部と当接しながら、前記本体部に対して前記第１方向に沿って前記係止凹部側に相対移動可能である蓋部材とを備えることを特徴とする。
【０００７】
また、上記電気接続箱では、前記一対のリブ壁部は、それぞれ前記第１方向の前記構造体側の端部に前記係止凹部側に向けた誘い込み凹部を有するものとすることができる。
【０００８】
また、上記電気接続箱では、前記蓋部材は、前記係止突起部が前記係止凹部に係止された状態で当該係止突起部側を回動支点として前記本体部に対して回動可能であり、前記蓋側係止部は、前記係止突起部が前記係止凹部に係止された状態で前記本体側係止部に係止されることで前記本体部に対して前記蓋部材を回動不能に係止するものとすることができる。
【０００９】
また、上記電気接続箱では、前記一対のリブ壁部は、前記一対のガイド壁部に挟まれて位置するものとすることができる。
【００１０】
また、上記電気接続箱では、前記本体部は、前記係止凹部側が閉塞し前記本体側係止部側に開口部が設けられた閉塞空間部内に据え付けられるものとすることができる。
【００１１】
上記目的を達成するために、本発明に係るワイヤハーネスは、導電性の配索材と、前記配索材に電気的に接続される電気接続箱とを備え、前記電気接続箱は、前記配索材が電気的に接続される電子部品が設けられる搭載部、前記搭載部の第１方向の一方側に位置する構造体に前記第１方向に沿って凹部状に設けられる係止凹部、前記搭載部の前記第１方向の他方側に設けられる本体側係止部、及び、前記搭載部を挟んで対向して設けられそれぞれ前記第１方向に沿って延在する一対のリブ壁部を有する本体部と、前記搭載部に搭載された前記電子部品を覆う覆い部、前記覆い部から前記第１方向に沿って一方側に突出し前記係止凹部に前記第１方向に沿って挿入可能かつ係止可能である係止突起部、前記係止突起部が前記係止凹部に係止された状態で前記本体側係止部に係止可能である蓋側係止部、前記覆い部を挟んで対向して設けられそれぞれ前記第１方向に沿って延在する一対のガイド壁部、及び、前記第１方向の前記係止突起部が設けられる側の端部に設けられ前記リブ壁部を前記ガイド壁部に隣接させて前記第１方向に沿って挿通可能な挿通開口部を有し、前記一対のガイド壁部がそれぞれ前記一対のリブ壁部と当接しながら、前記本体部に対して前記第１方向に沿って前記係止凹部側に相対移動可能である蓋部材とを備えることを特徴とする。
【発明の効果】
【００１２】
本発明に係る電気接続箱、及び、ワイヤハーネスは、例えば、一対のリブ壁部によって一対のガイド壁部を第１方向に沿って案内しながら蓋部材の係止突起部を本体部の係止凹部に挿入し係止することができる。この構成により、電気接続箱、及び、ワイヤハーネスは、蓋部材を本体部に組み付ける際の組み付け作業性を向上することができる、という効果を奏する。
【図面の簡単な説明】
【００１３】
【図１】図１は、実施形態に係る電気接続箱の概略構成を表す斜視図である。
【図２】図２は、実施形態に係る電気接続箱の概略構成を表す部分分解斜視図である。
【図３】図３は、実施形態に係る電気接続箱の概略構成を表す部分断面斜視図である。
【図４】図４は、実施形態に係る電気接続箱の概略構成を表す部分断面斜視図である。
【図５】図５は、実施形態に係る電気接続箱の蓋部材の概略構成を表す斜視図である。
【図６】図６は、実施形態に係る電気接続箱の蓋部材の概略構成を表す斜視図である。
【図７】図７は、実施形態に係る電気接続箱の蓋部材の係止突起部側の正面図である。
【図８】図８は、実施形態に係る電気接続箱の蓋部材の組み付け動作を表す部分斜視図である。
【図９】図９は、実施形態に係る電気接続箱の蓋部材の組み付け動作を表す部分斜視図である。
【図１０】図１０は、実施形態に係る電気接続箱の蓋部材の組み付け動作を表す部分斜視図である。
【図１１】図１１は、実施形態に係る電気接続箱の蓋部材の組み付け動作を表す部分断面斜視図である。
【図１２】図１２は、変形例に係る電気接続箱の蓋部材の係止突起部側の正面図である。
【図１３】図１３は、変形例に係る電気接続箱の蓋部材の係止突起部側の正面図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
なお、以下で説明する図１は、アッパカバーを二点鎖線で省略して図示している。また、図１、図２は、電子部品の一部を二点鎖線で省略して図示し、他図では電子部品の図示自体を省略している。また、以下の説明では、互いに交差する第１方向、第２方向、及び、第３方向のうち、第１方向を「第１幅方向Ｘ」といい、第２方向を「第２幅方向Ｙ」といい、第３方向を「高さ方向Ｚ」という。ここでは、第１幅方向Ｘと第２幅方向Ｙと高さ方向Ｚとは、相互に直交する。典型的には、電気接続箱が車両に搭載され当該車両が水平面に位置する状態で、第１幅方向Ｘ、第２幅方向Ｙは、水平方向に沿い、高さ方向Ｚが鉛直方向に沿う。以下の説明では、高さ方向Ｚにおいて後述のアッパカバーが設けられる側を上側、後述のロアカバーが設けられる側を下側という場合がある。以下の説明で用いる各方向は、特に断りのない限り、電気接続箱の各部が相互に組み付けられ、当該電気接続箱が車両に搭載された状態での方向として説明する。
【００１６】
［実施形態］
図１に示す本実施形態に係る電気接続箱１は、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられたコネクタ等を介して電気接続箱１が電気的に接続される。電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。本実施形態の電気接続箱１は、閉塞空間部ＳＰ（図１中に二点鎖線で省略して図示）内に据え付けられる。閉塞空間部ＳＰは、例えば、ラゲッジ（トランク）ルーム等に区画された閉塞した空間部であり、一部に開口部ＯＰが設けられている。開口部ＯＰは、蓋体が着脱可能である。開口部ＯＰは、当該蓋体が取り外されることで開放状態とされ、当該開口部ＯＰを介した電気接続箱１に対する作業を可能とする。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。ワイヤハーネスＷＨは、この他、さらに、グロメット、プロテクタ、固定具等を含んで構成されてもよい。以下、各図を参照して、電気接続箱１の各構成について具体的に説明する。
【００１７】
本実施形態の電気接続箱１は、図１、図２に示すように、本体部２と、蓋部材３とを備える。電気接続箱１は、本体部２に蓋部材３が装着される。この構成により、電気接続箱１は、本体部２に設けられた電子部品４が当該蓋部材３によって覆われ保護される。そして、本実施形態の電気接続箱１は、本体部２、及び、蓋部材３に所定の形状を付加することで、本体部２に対する蓋部材３の組み付け作業性の向上を図ったものである。
【００１８】
具体的には、本体部２は、図１、図２に示すように、電子部品４と、筐体５と、ブロック６とを備える。
【００１９】
電子部品４は、筐体５に設けられ、配索材Ｗが電気的に接続されるものである。電子部品４は、複数設けられる。電子部品４は、例えば、コネクタ、ヒューズ、リレー、コンデンサ、分岐部、電子制御ユニット、これらをユニット化した電子部品ユニット等である。
【００２０】
筐体５は、内部に形成される収容空間部５４に電子部品４を収容するものである。筐体５は、筐体本体としてのフレーム５１、底体としてのロアカバー５２、及び、蓋体としてのアッパカバー５３を含んで構成される。筐体５は、フレーム５１、ロアカバー５２、及び、アッパカバー５３が組み合わさって全体として中空箱状に形成される。筐体５は、フレーム５１、ロアカバー５２、及び、アッパカバー５３が分割された３層分割構造となっている。フレーム５１、ロアカバー５２、及び、アッパカバー５３は、絶縁性の合成樹脂によって形成される。フレーム５１は、電子部品４が組み付けられる収容空間部５４を形成する主たる部材である。フレーム５１は、高さ方向Ｚに対向する２面に開口を有する筒枠状に形成される。ロアカバー５２は、フレーム５１の高さ方向Ｚの一方の開口、ここでは、高さ方向Ｚの下側の開口を塞ぐ皿状（トレイ状）の部材である。アッパカバー５３は、フレーム５１の高さ方向Ｚの他方の開口、ここでは、高さ方向Ｚの上側の開口を塞ぐ蓋状の部材である。筐体５は、フレーム５１の高さ方向Ｚの下側の開口とロアカバー５２とが対向し、フレーム５１の高さ方向Ｚの上側の開口とアッパカバー５３とが対向するように位置する。そして、筐体５は、フレーム５１、ロアカバー５２、及び、アッパカバー５３が上記の位置関係で高さ方向Ｚに沿って積層され相互に組み付けられる。筐体５は、フレーム５１に対して、種々の形式の係止機構を介して、アッパカバー５３、ロアカバー５２が係止される。筐体５は、全体として、第１幅方向Ｘに沿った方向が短辺、第２幅方向Ｙに沿った方向が長辺となる略直方体状に形成される。この構成により、筐体５は、フレーム５１、ロアカバー５２、及び、アッパカバー５３の内部に収容空間部５４が区画される。収容空間部５４は、フレーム５１、ロアカバー５２、及び、アッパカバー５３によって区画され、当該フレーム５１、ロアカバー５２、及び、アッパカバー５３によって囲われた空間である。電気接続箱１は、この収容空間部５４内にブロック６が設けられる。また、筐体５は、挿通口５５を有しており、配索材Ｗが当該挿通口５５を介して筐体５の内外に渡って挿通され、電子部品４に電気的に接続される。
【００２１】
ブロック６は、種々の形式の係止機構を介して、フレーム５１に対して着脱可能に組み付けられる。ブロック６は、フレーム５１等と同様に絶縁性の合成樹脂によって形成される。ブロック６は、複数に分割されていてもよい。ブロック６は、多数のキャビティ６ａが形成される。電子部品４は、キャビティ６ａ内に組み付けられる。また、ブロック６は、導電性の金属材料によって構成された回路体が組み付けられている。回路体は、各キャビティ６ａに組み付けられた各電子部品４を電気的に接続し電気回路の一部を構成するものであり、例えば、バスバ等である。ブロック６は、各キャビティ６ａに対して、高さ方向Ｚの下側から、挿通口５５等を介して配索された配索材Ｗの端末の端子等が差し込まれ嵌合される。また、ブロック６は、各キャビティ６ａに対して、高さ方向Ｚの上側から、電子部品４が差し込まれ嵌合される。この構成により、各電子部品４と各配索材Ｗとは、ブロック６に組み付けられ搭載された状態でバスバ等の回路体を介して相互に電気的に接続され、要求される電気回路を構成する。
【００２２】
さらに、本実施形態の本体部２は、アッパカバー５３から露出した収容空間部５４の外側にも電子部品４が設けられる搭載部２１を有する。搭載部２１は、収容空間部５４に設けられたブロック６の一部が収容空間部５４の外側に露出することで構成される。つまりここでは、搭載部２１は、ブロック６の一部によって構成されている。搭載部２１は、フレーム５１から高さ方向Ｚの上側に露出している一方、高さ方向Ｚの下側がロアカバー５２で覆われている。搭載部２１においてフレーム５１から露出した部分は、第１幅方向Ｘに沿った方向が長辺、第２幅方向Ｙに沿った方向が短辺となる略長方形状をなす。搭載部２１は、上述したキャビティ６ａが第１幅方向Ｘに沿って並んで複数（図２の例では１０個）設けられる。搭載部２１は、各キャビティ６ａにそれぞれ電子部品４が設けられる。つまり、搭載部２１は、第１幅方向Ｘに沿って並んで複数（図２の例では１０個）の電子部品４が搭載される。搭載部２１に設けられる電子部品４は、例えば、ヒューズ等であるがこれに限られない。本体部２は、この搭載部２１に蓋部材３が設けられる。
【００２３】
本実施形態の本体部２は、図２、図３、図４に示すように、上記の搭載部２１に蓋部材３を装着するための構成として、さらに、係止凹部２２、本体側係止部２３、及び、一対のリブ壁部２４を有する。本体部２は、搭載部２１がブロック６によって形成され、係止凹部２２、本体側係止部２３、及び、一対のリブ壁部２４がフレーム５１によって一体で形成される。なお、本体部２は、搭載部２１、係止凹部２２、本体側係止部２３、及び、一対のリブ壁部２４がすべて一体で形成されてもよい。
【００２４】
係止凹部２２は、フレーム５１の一部を構成する壁体５１ａに設けられる。壁体５１ａは、搭載部２１の第１幅方向Ｘの一方側に位置する構造体である。壁体５１ａは、フレーム５１において搭載部２１が露出している面から高さ方向Ｚに沿って上側に突出するようにして形成される。係止凹部２２は、当該壁体５１ａに第１幅方向Ｘに沿って凹部状に設けられる。ここでは、係止凹部２２は、当該壁体５１ａを第１幅方向Ｘに沿って貫通することで、第１幅方向Ｘに沿った凹部状に形成される。係止凹部２２は、断面形状が略矩形状に形成される。係止凹部２２は、後述する蓋部材３の係止突起部３２と共に第１係止機構７を構成する。係止凹部２２は、高さ方向Ｚの上側の端面が当該係止突起部３２を係止する係止面を構成する。
【００２５】
本体側係止部２３は、フレーム５１の一部を構成する壁体５１ｂに設けられる。壁体５１ｂは、搭載部２１の第１幅方向Ｘの他方側に位置する構造体である。壁体５１ｂは、フレーム５１において第１幅方向Ｘに対して搭載部２１を構成するブロック６と対向する位置に形成される。壁体５１ｂは、搭載部２１を構成するブロック６に対して第１幅方向Ｘに沿って間隔をあけて設けられる。壁体５１ｂは、高さ方向Ｚに沿って延在して形成される。本体側係止部２３は、当該壁体５１ｂに第１幅方向Ｘに沿って凸部状に設けられる。ここでは、本体側係止部２３は、当該壁体５１ｂのブロック６と対向する側の面に突出して形成される。本体側係止部２３は、後述する蓋部材３の蓋側係止部３３と共に第２係止機構８を構成する。本体側係止部２３は、高さ方向Ｚの下側の端面が当該蓋側係止部３３を係止する係止面を構成する。
【００２６】
一対のリブ壁部２４は、第２幅方向Ｙに対して搭載部２１を挟んで対向して設けられる。各リブ壁部２４は、フレーム５１において搭載部２１が露出している面から高さ方向Ｚに沿って上側に突出するようにして形成される。ここでは、各リブ壁部２４は、フレーム５１の一部を構成するものである。一対のリブ壁部２４は、それぞれ第１幅方向Ｘに沿って略平行に延在して形成される。一対のリブ壁部２４は、第１幅方向Ｘに対して、搭載部２１の略中央部よりやや壁体５１ｂ側の位置から壁体５１ａまで延在する。ここでは、一対のリブ壁部２４を区別する場合には、便宜的に一方を「リブ壁部２４Ａ」といい、他方を「リブ壁部２４Ｂ」という場合がある。リブ壁部２４Ａは、フレーム５１における第２幅方向Ｙの端部側に位置する。リブ壁部２４Ｂは、フレーム５１における第２幅方向Ｙの中央部側、すなわち、アッパカバー５３（図１参照）が設けられる側に位置する。リブ壁部２４Ａとリブ壁部２４Ｂとは、第１幅方向Ｘに沿った長さや形状が若干異なるものの、基本的にはほぼ同様の構成である。以下、リブ壁部２４Ａとリブ壁部２４Ｂとを特に区別して説明する必要がない場合には、単にリブ壁部２４という場合がある。各リブ壁部２４は、それぞれ後述する蓋部材３のガイド壁部３４と共にガイド機構９を構成する。各リブ壁部２４は、第２幅方向Ｙに互いに対向する面とは反対側の面がそれぞれ当該ガイド壁部３４を第１幅方向Ｘに沿って案内するガイド面を構成する。
【００２７】
さらに、本実施形態の一対のリブ壁部２４は、それぞれ第１幅方向Ｘの壁体５１ａ側の端部、すなわち、係止凹部２２側の端部に誘い込み凹部２４ａを有する。誘い込み凹部２４ａは、リブ壁部２４の壁体５１ａ側の端部における高さ方向Ｚの上側の上端部が下側に窪むように形成されることで係止凹部２２側に向けた凹部状に形成される。当該リブ壁部２４の上端部は、リブ壁部２４の高さ方向Ｚの先端部に相当する。ここでは、誘い込み凹部２４ａは、当該上端部が壁体５１ａの基端部側に向けた傾斜面として形成されている。壁体５１ａの基端部は、係止凹部２２の高さ方向Ｚの下側の端面が位置する側の端部、言い換えれば、フレーム５１において搭載部２１が露出している面側の端部、さらに言えば、各リブ壁部２４が立設されている面側の端部に相当する。
【００２８】
なお、本体部２は、リブ壁部２４とは別にさらに壁部２５Ａ、及び、壁部２５Ｂを有している。壁部２５Ａ、及び、壁部２５Ｂは、リブ壁部２４と同様に、フレーム５１において搭載部２１が露出している面から高さ方向Ｚに沿って上側に突出するようにして形成される。壁部２５Ａ、及び、壁部２５Ｂは、フレーム５１の一部を構成するものである。壁部２５Ａは、第１幅方向Ｘに沿って延在して形成される。壁部２５Ａは、第１幅方向Ｘに対してリブ壁部２４Ａの壁体５１ｂ側に、当該リブ壁部２４Ａと間隔をあけて位置する。一方、壁部２５Ｂは、第２幅方向Ｙに沿って延在して形成される。壁部２５Ｂは、搭載部２１の第１幅方向Ｘの壁体５１ｂ側の端部に位置する。
【００２９】
蓋部材３は、図２、図３、図４、図５、図６、図７に示すように、本体部２に着脱可能に装着され、搭載部２１に搭載された電子部品４を覆い保護するものである。つまり、蓋部材３は、本体部２のうち、アッパカバー５３から露出している搭載部２１に装着される。蓋部材３は、覆い部３１、係止突起部３２、蓋側係止部３３、一対のガイド壁部３４、一対の端部壁部３５、及び、挿通開口部３６を有し、これらが一体で形成される。蓋部材３は、絶縁性の合成樹脂によって全体として略矩形板状に形成される。
【００３０】
覆い部３１は、搭載部２１に搭載された電子部品４を覆う部分である。覆い部３１は、略矩形板状に形成される。覆い部３１は、板厚方向が高さ方向Ｚに沿い、第１幅方向Ｘ、及び、第２幅方向Ｙに沿って延在して形成される。覆い部３１は、第１幅方向Ｘに沿った方向が長辺、第２幅方向Ｙに沿った方向が短辺となる略長方形状をなす。覆い部３１は、搭載部２１の高さ方向Ｚの上側の面全体を覆うことができるように、当該搭載部２１よりもやや大きく形成される。覆い部３１は、高さ方向Ｚに対して、当該高さ方向Ｚの下側の面が搭載部２１側を向いて対向する。覆い部３１は、当該高さ方向Ｚの下側の面に、一対のガイド壁部３４、及び、一対の端部壁部３５が設けられる。
【００３１】
ここで、一対のガイド壁部３４、及び、一対の端部壁部３５は、覆い部３１の高さ方向Ｚの下側の面から高さ方向Ｚの下側に突出するようにして形成される。一対のガイド壁部３４、及び、一対の端部壁部３５は、覆い部３１の縁部に沿って当該覆い部３１を４方から囲むようにして設けられる。一対のガイド壁部３４、及び、一対の端部壁部３５は、相互に組み合わせられることで、全体で第１幅方向Ｘに沿った方向が長辺、第２幅方向Ｙに沿った方向が短辺となる略長方形枠状をなす。
【００３２】
一対のガイド壁部３４は、第２幅方向Ｙに対して覆い部３１を挟んで対向して設けられる。一対のガイド壁部３４は、それぞれ第１幅方向Ｘに沿って略平行に延在して形成される。一対のガイド壁部３４は、第１幅方向Ｘに対して、覆い部３１の一方の端から他方の端まで延在する。一対のガイド壁部３４は、それぞれ覆い部３１の第２幅方向Ｙの縁、すなわち、第１幅方向Ｘに沿った長辺に沿って形成される。ここでは、一対のガイド壁部３４を区別する場合には、便宜的に一方を「ガイド壁部３４Ａ」といい、他方を「ガイド壁部３４Ｂ」という場合がある。ガイド壁部３４Ａは、覆い部３１の一方の長辺に形成され、ガイド壁部３４Ｂは、覆い部３１の他方の長辺に形成される。ここでは、ガイド壁部３４Ａは、蓋部材３が搭載部２１に装着された状態で第２幅方向Ｙにおいてリブ壁部２４Ａ側に位置する。ガイド壁部３４Ｂは、蓋部材３が搭載部２１に装着された状態で第２幅方向Ｙにおいてリブ壁部２４Ｂ側に位置する。ガイド壁部３４Ａとガイド壁部３４Ｂとは、第１幅方向Ｘに沿った長さや形状が若干異なり、例えば、ガイド壁部３４Ｂの方が覆い部３１の高さ方向Ｚの上側にも若干突出しているものの、基本的にはほぼ同様の構成である。以下、ガイド壁部３４Ａとガイド壁部３４Ｂとを特に区別して説明する必要がない場合には、単にガイド壁部３４という場合がある。
【００３３】
各ガイド壁部３４は、それぞれ上述した本体部２のリブ壁部２４と共にガイド機構９を構成する。つまり、ガイド機構９は、リブ壁部２４とガイド壁部３４とを含んで構成される。各ガイド壁部３４は、第２幅方向Ｙに互いに対向する面がそれぞれ当該リブ壁部２４によって第１幅方向Ｘに沿って案内されるガイド面を構成する。ガイド機構９は、一対のリブ壁部２４と一対のガイド壁部３４とがそれぞれ当接することで、本体部２に対する蓋部材３の第１幅方向Ｘに沿った相対移動を案内する。ここでは、ガイド壁部３４Ａは、リブ壁部２４Ａと共にガイド機構９Ａを構成する。ガイド壁部３４Ｂは、リブ壁部２４Ｂと共にガイド機構９Ｂを構成する。以下、ガイド機構９Ａとガイド機構９Ｂとを特に区別して説明する必要がない場合には、単にガイド機構９という場合がある。
【００３４】
一対の端部壁部３５は、第１幅方向Ｘに対して覆い部３１を挟んで対向して設けられる。一対の端部壁部３５は、それぞれ第２幅方向Ｙに沿って略平行に延在して形成される。一対の端部壁部３５は、第２幅方向Ｙに対して、覆い部３１の一方の端から他方の端まで延在する。一対の端部壁部３５は、それぞれ覆い部３１の第１幅方向Ｘの縁、すなわち、第２幅方向Ｙに沿った短辺に沿って形成される。一対の端部壁部３５は、それぞれ第２幅方向Ｙの端が一対のガイド壁部３４と交わり角部を形成する。また、一対の端部壁部３５は、覆い部３１と交わる部分が曲面状に形成される。ここでは、一対の端部壁部３５を区別する場合には、便宜的に一方を「端部壁部３５Ａ」といい、他方を「端部壁部３５Ｂ」という場合がある。端部壁部３５Ａは、覆い部３１の一方の短辺に形成され、端部壁部３５Ｂは、覆い部３１の他方の短辺に形成される。ここでは、端部壁部３５Ａは、蓋部材３が搭載部２１に装着された状態で第１幅方向Ｘにおいて係止凹部２２側、すなわち、壁体５１ａ側に位置する。端部壁部３５Ｂは、蓋部材３が搭載部２１に装着された状態で第１幅方向Ｘにおいて本体側係止部２３側、すなわち、壁体５１ｂ側に位置する。端部壁部３５Ａと端部壁部３５Ｂとは、長さ、形状等が若干異なるものの、基本的にはほぼ同様の構成である。ただし、端部壁部３５Ａは、後述する係止突起部３２、挿通開口部３６が設けられる。一方、端部壁部３５Ｂは、後述する蓋側係止部３３が設けられる。この点で、端部壁部３５Ａと端部壁部３５Ｂとは、相互に異なる。以下、端部壁部３５Ａと端部壁部３５Ｂとを特に区別して説明する必要がない場合には、単に端部壁部３５という場合がある。
【００３５】
係止突起部３２は、覆い部３１の第１幅方向Ｘの一方側の端部、ここでは、端部壁部３５Ａ側の端部に設けられる。係止突起部３２は、覆い部３１の端部壁部３５Ａ側の端部から第１幅方向Ｘに沿って一方側に突出して形成される。ここでは、係止突起部３２は、覆い部３１と端部壁部３５Ａとが交わる曲面状の部分から第１幅方向Ｘに沿って一方側に板状に突出する。この構成により、係止突起部３２は、本体部２の係止凹部２２に第１幅方向Ｘに沿って挿入可能かつ係止可能な形状に構成される。より詳細には、係止突起部３２は、突出基端部の高さ方向Ｚの上側の面が覆い部３１の高さ方向Ｚの上側の面と揃っている。また、係止突起部３２は、突出基端部の高さ方向Ｚの下側の面が端部壁部３５Ａの高さ方向Ｚの下側の面と揃っている。そして、係止突起部３２は、高さ方向Ｚの上側の面が覆い部３１の高さ方向Ｚの上側の面と平坦に連続し、かつ、高さ方向Ｚの下側の面が傾斜することで高さ方向Ｚに対して先細りの形状に形成される。またここでは、係止突起部３２は、第２幅方向Ｙに対しても先細りの形状に形成されている。
【００３６】
係止突起部３２は、上述した本体部２の係止凹部２２と共に第１係止機構７を構成する。つまり、第１係止機構７は、係止凹部２２と係止突起部３２とを含んで構成される。係止突起部３２は、高さ方向Ｚの上側の面が当該係止凹部２２に係止される係止面を構成する。第１係止機構７は、係止突起部３２が第１幅方向Ｘに沿って係止凹部２２に挿入され係止されることで、蓋部材３の係止突起部３２側の端部を本体部２に係止する。蓋部材３は、第１係止機構７において、係止突起部３２が係止凹部２２に係止された状態で当該係止突起部３２側を回動支点として本体部２に対して回動可能である。
【００３７】
蓋側係止部３３は、覆い部３１の第１幅方向Ｘの他方側の端部側、ここでは、端部壁部３５Ｂ側の端部側に設けられる。蓋側係止部３３は、係止突起部３２が係止凹部２２に係止された状態で本体側係止部２３に係止可能である。ここでは、蓋側係止部３３は、アーム部３３ａに設けられる。アーム部３３ａは、覆い部３１と端部壁部３５Ｂとが交わる曲面状の部分から高さ方向Ｚに沿って下側に延在する。アーム部３３ａは、基端部が端部壁部３５Ｂに片持ち状に支持される。そして、アーム部３３ａは、高さ方向Ｚの下側に向かって板状に延在すると共に、先端部が曲面状に折り返された屈曲部を介して高さ方向Ｚの上側に向かって延在する。アーム部３３ａは、全体で弾性変形可能であり、先端部が自由端をなす。蓋側係止部３３は、当該アーム部３３ａに第１幅方向Ｘに沿って凸部状に設けられる。ここでは、蓋側係止部３３は、当該アーム部３３ａの先端部と屈曲部との間の外面から端部壁部３５Ｂとは反対側に爪状（フック状）に突出した係止爪部として形成される。
【００３８】
蓋側係止部３３は、上述した本体部２の本体側係止部２３と共に第２係止機構８を構成する。つまり、第２係止機構８は、本体側係止部２３と蓋側係止部３３とを含んで構成される。蓋側係止部３３は、高さ方向Ｚの上側の面が当該本体側係止部２３に係止される係止面を構成する。第２係止機構８は、係止突起部３２が係止凹部２２に係止された状態で当該係止突起部３２側を回動支点とした本体部２に対する蓋部材３の回動動作に伴って、アーム部３３ａがブロック６と壁体５１ｂとの間に撓みながら入り込むようにして嵌合する（特に図３等参照）。そして、第２係止機構８は、蓋側係止部３３が本体側係止部２３に係止されることで、蓋部材３の蓋側係止部３３側の端部を本体部２に係止する。この構成により、蓋側係止部３３は、係止突起部３２が係止凹部２２に係止された状態で本体側係止部２３に係止されることで本体部２に対して蓋部材３を回動不能に係止する。また、第２係止機構８は、アーム部３３ａの先端部が第１幅方向Ｘに沿って端部壁部３５Ｂ側に押圧され撓まされることで本体側係止部２３と蓋側係止部３３との係止が解除される。この構成により、第２係止機構８は、本体部２に対して蓋部材３を回動可能な状態とされ、蓋部材３を本体部２から取り外すことができるようにすることができる。
【００３９】
挿通開口部３６は、第１幅方向Ｘの係止突起部３２が設けられる側の端部、すなわち、端部壁部３５Ａ側の端部に設けられる。挿通開口部３６は、リブ壁部２４をガイド壁部３４に隣接させて第１幅方向Ｘに沿って挿通可能とする開口である。挿通開口部３６は、端部壁部３５Ａの高さ方向Ｚの下側に設けられる。挿通開口部３６は、第２幅方向Ｙに対して一方のガイド壁部３４Ａから他方のガイド壁部３４Ｂまで延在して形成され、ガイド壁部３４Ａ、及び、ガイド壁部３４Ｂに対して共通で設けられる。この構成により、挿通開口部３６は、一対のガイド壁部３４の内側（互いに対向する側）に一対のリブ壁部２４を一括で第１幅方向Ｘに沿って挿通可能とする。つまり、一対のリブ壁部２４は、挿通開口部３６を介して第１幅方向Ｘに沿って挿通された状態で、一対のガイド壁部３４に挟まれて位置する。言い換えれば、一対のリブ壁部２４は、第２幅方向Ｙに対して一対のガイド壁部３４の間に位置する。さらに言い換えれば、一対のリブ壁部２４は、第２幅方向Ｙに対して一対のガイド壁部３４の内側に位置する。そして、上述したように、リブ壁部２４Ａは、第２幅方向Ｙに対してガイド壁部３４Ａと対向して当接することでガイド機構９Ａを構成する。リブ壁部２４Ｂは、第２幅方向Ｙに対してガイド壁部３４Ｂと対向して当接することでガイド機構９Ｂを構成する。
【００４０】
上記のように構成される電気接続箱１は、蓋部材３を本体部２に組み付ける際には、まず、第１係止機構７が係止された後に、蓋部材３を本体部２に対して回動させながら第２係止機構８側が係止される。
【００４１】
この場合、電気接続箱１は、図８、図９に示すように、例えば、係止突起部３２側が高さ方向Ｚの下側、蓋側係止部３３側が高さ方向Ｚの上側となるような位置関係で蓋部材３を傾斜させつつ当該蓋部材３が本体部２に仮組される。このときより詳細には、電気接続箱１は、挿通開口部３６を介して一対のガイド壁部３４の内側に一対のリブ壁部２４を挿通させるような位置関係で蓋部材３が本体部２に仮組される。
【００４２】
この状態で、電気接続箱１は、一対のリブ壁部２４がそれぞれ一対のガイド壁部３４に挟まれて位置し各ガイド壁部３４に当接した状態となる。この構成により、電気接続箱１は、図８中に矢印で示すように、蓋部材３が各ガイド機構９によって案内されながら本体部２に対して第１幅方向Ｘに沿って係止凹部２２側に相対移動可能となる。すなわち、電気接続箱１は、各ガイド機構９Ａ、９Ｂにおいて、一対のガイド壁部３４Ａ、３４Ｂがそれぞれ一対のリブ壁部２４Ａ、２４Ｂと当接しながら、本体部２に対する蓋部材３の第１幅方向Ｘに沿った係止凹部２２側への相対移動が案内される。
【００４３】
そして、電気接続箱１は、図１０、図１１に示すように、各ガイド機構９Ａ、９Ｂによって蓋部材３の第１幅方向Ｘに沿った相対移動が案内されながら、係止突起部３２が係止凹部２２内に挿入され係止される。この結果、電気接続箱１は、第１係止機構７によって蓋部材３の係止突起部３２側の端部と本体部２とが係止される。このとき、電気接続箱１は、図１１に示すように、各リブ壁部２４に形成された誘い込み凹部２４ａによって端部壁部３５Ａ等が案内されることで、上記のように蓋部材３を傾斜させた状態のままでも、係止突起部３２を係止凹部２２内に挿入し易い構成とすることができる。
【００４４】
そして、電気接続箱１は、図１０中に矢印で示すように、係止突起部３２側を回動支点として本体部２に対して蓋部材３を回動させ、アーム部３３ａがブロック６と壁体５１ｂとの間に押し込まれるようにして嵌合される。これにより、電気接続箱１は、第２係止機構８によって蓋部材３の蓋側係止部３３側の端部と本体部２とが係止される。この構成により、電気接続箱１は、蓋部材３が本体部２に装着、係止される。この結果、電気接続箱１は、蓋部材３が搭載部２１に装着され、搭載部２１に設けられた電子部品４を蓋部材３の覆い部３１で覆い保護することができる。一方、電気接続箱１は、アーム部３３ａの先端部が端部壁部３５Ｂ側に押圧され撓まされることで本体側係止部２３と蓋側係止部３３との係止が解除され、蓋部材３を本体部２から取り外すことができる。
【００４５】
以上で説明した電気接続箱１、ワイヤハーネスＷＨは、蓋部材３の係止突起部３２が第１幅方向Ｘに沿って本体部２の係止凹部２２に挿入され係止される。この構成により、電気接続箱１、ワイヤハーネスＷＨは、係止凹部２２と係止突起部３２とによって蓋部材３の係止突起部３２側の端部と本体部２とを係止することができる。そして、電気接続箱１、ワイヤハーネスＷＨは、係止突起部３２が係止凹部２２に係止された状態で、蓋部材３の蓋側係止部３３が本体部２の本体側係止部２３に係止される。この構成により、電気接続箱１、ワイヤハーネスＷＨは、本体側係止部２３と蓋側係止部３３とによって蓋部材３の蓋側係止部３３側の端部と本体部２とを係止することができる。この結果、電気接続箱１、ワイヤハーネスＷＨは、搭載部２１に設けられた電子部品４を蓋部材３の覆い部３１で覆うような位置関係で蓋部材３が本体部２に装着される。この構成により、電気接続箱１、ワイヤハーネスＷＨは、蓋部材３の覆い部３１によって、搭載部２１に設けられた電子部品４を保護することができる。このとき、電気接続箱１、ワイヤハーネスＷＨは、蓋部材３の係止突起部３２を本体部２の係止凹部２２に挿入する際に、まず、本体部２側の一対のリブ壁部２４が挿通開口部３６を介して第１幅方向Ｘに沿って蓋部材３に挿通されそれぞれ一対のガイド壁部３４に当接した状態とされる。この構成により、電気接続箱１、ワイヤハーネスＷＨは、一対のガイド壁部３４をそれぞれ一対のリブ壁部２４に当接させながら、蓋部材３を本体部２に対して第１幅方向Ｘに沿って係止凹部２２側に相対移動させることができる。この結果、電気接続箱１、ワイヤハーネスＷＨは、一対のリブ壁部２４によって一対のガイド壁部３４を第１幅方向Ｘに沿って案内しながら蓋部材３の係止突起部３２を本体部２の係止凹部２２に挿入し係止することができる。したがって、電気接続箱１、ワイヤハーネスＷＨは、蓋部材３を本体部２に組み付ける際の組み付け作業性を向上することができる。
【００４６】
ここでは、本体部２は、例えば、図１に示すように、係止凹部２２側が閉塞し本体側係止部２３側に開口部ＯＰが設けられた閉塞空間部ＳＰ内に据え付けられる。電気接続箱１、ワイヤハーネスＷＨは、このような場合であっても上記のように一対のリブ壁部２４によって一対のガイド壁部３４を第１幅方向Ｘに沿って案内しながら係止突起部３２を係止凹部２２に挿入し係止することができる。この結果、電気接続箱１、ワイヤハーネスＷＨは、例えば、係止凹部２２を目視できないような場合であっても容易に係止突起部３２を係止凹部２２に挿入し係止することができるので、このような場合に顕著に組み付け作業性の向上を図ることができる。
【００４７】
さらに、以上で説明した電気接続箱１、ワイヤハーネスＷＨは、一対のリブ壁部２４がそれぞれ誘い込み凹部２４ａを有する。この構成により、電気接続箱１、ワイヤハーネスＷＨは、当該誘い込み凹部２４ａによって端部壁部３５Ａ等が案内されることで、蓋部材３を第１幅方向Ｘに対して傾斜させた状態のままでも、係止突起部３２を係止凹部２２内に挿入し易くすることができる。そして、電気接続箱１、ワイヤハーネスＷＨは、例えば、当該誘い込み凹部２４ａの頂点部分等を回動支点として蓋部材３を円滑に回動させ易くすることができる。この結果、電気接続箱１、ワイヤハーネスＷＨは、組み付け作業性をさらに向上することができる。
【００４８】
さらに、以上で説明した電気接続箱１、ワイヤハーネスＷＨは、係止突起部３２が係止凹部２２に係止された状態で、蓋部材３が係止突起部３２側を回動支点として本体部２に対して回動可能である。そして、電気接続箱１、ワイヤハーネスＷＨは、係止突起部３２が係止凹部２２に係止された状態で蓋側係止部３３が本体側係止部２３に係止されることで本体部２に対して蓋部材３を回動不能に係止する。電気接続箱１、ワイヤハーネスＷＨは、このような係止構造にあって、蓋部材３の係止突起部３２を本体部２の係止凹部２２に挿入し係止する際の組み付け作業性を向上することができる。
【００４９】
さらに、以上で説明した電気接続箱１、ワイヤハーネスＷＨは、一対のリブ壁部２４が一対のガイド壁部３４に挟まれて位置し、言い換えれば、一対のリブ壁部２４が一対のガイド壁部３４の内側に位置する。この構成により、電気接続箱１、ワイヤハーネスＷＨは、一対のリブ壁部２４を搭載部２１に対する防水壁としても機能させることができる。この結果、電気接続箱１、ワイヤハーネスＷＨは、図４中に矢印で示すように、例えば、覆い部３１に高さ方向Ｚの上側から水等の液体が滴下した場合であっても、本体部２と蓋部材３との隙間を介した搭載部２１側への液体の浸入を、当該防水壁として機能する一対のリブ壁部２４によって抑制、遮断することができる。したがって、電気接続箱１、ワイヤハーネスＷＨは、防水性を向上することができる。
【００５０】
なお、上述した本発明の実施形態に係る電気接続箱、及び、ワイヤハーネスは、上述した実施形態に限定されず、特許請求の範囲に記載された範囲で種々の変更が可能である。
【００５１】
以上で説明した電気接続箱１は、車両用のワイヤハーネスＷＨに適用された場合を例示したがこれに限らない。
【００５２】
以上で説明した筐体５は、フレーム５１、ロアカバー５２、及び、アッパカバー５３が分割された３層分割構造となっているものとして説明したがこれに限らず、例えば、フレーム５１とロアカバー５２とが一体であってもよい。
【００５３】
以上の説明では、電気接続箱１は、閉塞空間部ＳＰ内に据え付けられるものとして説明したがこれに限らず、全面的に開放された空間部内に据え付けられてもよい。
【００５４】
以上の説明では、係止凹部２２は、壁体５１ａを第１幅方向Ｘに貫通することで第１幅方向Ｘに沿って凹部状に形成されるものとして説明したがこれに限らない。係止凹部２２は、壁体５１ａを貫通せずに第１幅方向Ｘに沿って凹部状に形成されてもよい。また、係止凹部２２が設けられる構造体は、壁体５１ａでなくてもよい。例えば、係止凹部２２は、フレーム５１において搭載部２１が露出している面から高さ方向Ｚに沿って上側に突出し、かつ、先端部が第１幅方向Ｘに沿って搭載部２１側に折れ曲がることで略Ｌ字型状に形成された構造体によって構成されてもよい。
【００５５】
以上の説明では、蓋側係止部３３は、覆い部３１の第１幅方向Ｘの他方側の端部側、ここでは、端部壁部３５Ｂ側の端部側に設けられるものとして説明したがこれに限らない。本体側係止部２３、蓋側係止部３３によって構成される第２係止機構８は、上記の位置、形式に限られない。
【００５６】
また、以上の説明で説明した蓋部材３は、端部壁部３５を有さない構成であってもよい。
【００５７】
以上で説明した各リブ壁部２４は、フレーム５１とは別体に形成され当該フレーム５１に後付けされるものであってもよい。また、リブ壁部２４Ａは、壁部２５Ａと一体でもよく、リブ壁部２４Ａ、２４Ｂともに第１幅方向Ｘに沿って搭載部２１の全長に渡って形成されていてもよい。
【００５８】
以上の説明では、誘い込み凹部２４ａは、壁体５１ａの基端部に向けた傾斜面として形成されるものとして説明したがこれに限らず、例えば、各リブ壁部２４に形成された単なる矩形状の切り欠き等であってもよい。また、各リブ壁部２４は、誘い込み凹部２４ａ自体を有さない構成であってもよい。
【００５９】
以上で説明した挿通開口部３６は、以上で説明した形状に限られない。例えば、図１２の変形例に係る蓋部材３Ａは、挿通開口部３６にかえて挿通開口部３６Ａを有する。挿通開口部３６Ａは、挿通開口部３６と同様に端部壁部３５Ａ側の端部に設けられる。挿通開口部３６Ａは、リブ壁部２４をガイド壁部３４に隣接させて第１幅方向Ｘに沿って挿通可能とする開口である。挿通開口部３６Ａは、端部壁部３５Ａの高さ方向Ｚの下側に設けられる。ここでは、挿通開口部３６Ａは、ガイド壁部３４Ａに隣接して１つ、ガイド壁部３４Ｂに隣接して１つ、合計２つが別個に設けられている。一方の挿通開口部３６Ａは、第１幅方向Ｘにおいて、ガイド壁部３４Ａのガイド壁部３４Ｂ側、すなわち、内側に形成される。同様に、他方の挿通開口部３６Ａは、第１幅方向Ｘにおいて、ガイド壁部３４Ｂのガイド壁部３４Ａ側、すなわち、内側に形成される。ここでは、端部壁部３５Ａは、２つの挿通開口部３６Ａ以外の部分の高さ方向Ｚの下端がガイド壁部３４Ａ、３４Ｂの高さ方向Ｚの下端とほぼ揃っている。この構成により、一方の挿通開口部３６Ａは、ガイド壁部３４Ａの内側にリブ壁部２４Ａを第１幅方向Ｘに沿って挿通可能とし、他方の挿通開口部３６Ａは、ガイド壁部３４Ｂの内側にリブ壁部２４Ｂを第１幅方向Ｘに沿って挿通可能とする。この場合も、一対のリブ壁部２４は、各挿通開口部３６Ａを介して第１幅方向Ｘに沿って挿通された状態で、一対のガイド壁部３４に挟まれて位置する。この場合であっても、電気接続箱１、ワイヤハーネスＷＨは、上記と同様に組み付け作業性を向上することができる。
【００６０】
また、図１３の変形例に係る蓋部材３Ｂは、挿通開口部３６、３６Ａにかえて挿通開口部３６Ｂを有する。挿通開口部３６Ｂは、挿通開口部３６、３６Ａと同様に端部壁部３５Ａ側の端部に設けられる。挿通開口部３６Ｂは、リブ壁部２４をガイド壁部３４に隣接させて第１幅方向Ｘに沿って挿通可能とする開口である。挿通開口部３６Ｂは、端部壁部３５Ａの高さ方向Ｚの下側に設けられる。挿通開口部３６Ｂは、挿通開口部３６Ａと同様に、ガイド壁部３４Ａに隣接して１つ、ガイド壁部３４Ｂに隣接して１つ、合計２つが別個に設けられている。ここでは、一方の挿通開口部３６Ｂは、第１幅方向Ｘにおいて、ガイド壁部３４Ａのガイド壁部３４Ｂ側とは反対側、すなわち、外側に形成される。同様に、他方の挿通開口部３６Ｂは、第１幅方向Ｘにおいて、ガイド壁部３４Ｂのガイド壁部３４Ａとは反対側、すなわち、外側に形成される。ここでは、端部壁部３５Ａは、全体の高さ方向Ｚの下端がガイド壁部３４Ａ、３４Ｂの高さ方向Ｚの下端とほぼ揃っている。この構成により、一方の挿通開口部３６Ｂは、ガイド壁部３４Ａの外側にリブ壁部２４Ａを第１幅方向Ｘに沿って挿通可能とし、他方の挿通開口部３６Ｂは、ガイド壁部３４Ｂの外側にリブ壁部２４Ｂを第１幅方向Ｘに沿って挿通可能とする。この場合は、一対のリブ壁部２４は、各挿通開口部３６Ｂを介して第１幅方向Ｘに沿って挿通された状態で、第２幅方向Ｙに対して一対のガイド壁部３４の外側に位置する。言い換えれば、一対のガイド壁部３４は、一対のリブ壁部２４に挟まれて位置する。さらに言い換えれば、一対のガイド壁部３４は、第２幅方向Ｙに対して一対のリブ壁部２４の間に位置する。この場合であっても、電気接続箱１、ワイヤハーネスＷＨは、上記と同様に組み付け作業性を向上することができる。また、挿通開口部は、例えば、１つの挿通開口部３６Ａと１つの挿通開口部３６Ｂとを組み合わせたものであってもよい。
【符号の説明】
【００６１】
１    電気接続箱
２    本体部
３、３Ａ、３Ｂ    蓋部材
４    電子部品
２１    搭載部
２２    係止凹部
２３    本体側係止部
２４、２４Ａ、２４Ｂ    リブ壁部
２４ａ    誘い込み凹部
３１    覆い部
３２    係止突起部
３３    蓋側係止部
３３ａ    アーム部
３４、３４Ａ、３４Ｂ    ガイド壁部
３６、３６Ａ、３６Ｂ    挿通開口部
５１ａ    壁体（構造体）
ＯＰ    開口部
ＳＰ    閉塞空間部
Ｗ    配索材
ＷＨ    ワイヤハーネス
Ｘ    第１幅方向（第１方向）
【図１】
2018093671.tif 000003
【図２】
2018093671.tif 000004
【図３】
2018093671.tif 000005
【図４】
2018093671.tif 000006
【図５】
2018093671.tif 000007
【図６】
2018093671.tif 000008
【図７】
2018093671.tif 000009
【図８】
2018093671.tif 000010
【図９】
2018093671.tif 000011
【図１０】
2018093671.tif 000012
【図１１】
2018093671.tif 000013
【図１２】
2018093671.tif 000014
【図１３】
2018093671.tif 000015